(57)【要約】【課題】  熱源から周辺部品へ伝わる熱を断熱（遮断）し、かつ熱源から放出された熱を機外へ効率よく排熱させる構成簡易な断熱冷却装置を提供すること。【解決手段】  発熱し冷却を必要とされる要冷却部材としてのモーター１０２と、発熱しないが熱による影響を受けやすい温度上昇抑制部材としての基板１０４との間に受熱断熱手段としての平板１０６を設け、この受熱断熱手段としての平板１０６を熱伝達手段としてのヒートパイプ１０８を介して放熱手段としてのヒートシンク１０７に接続した。【選択図】図１
2006085039.tif 000002
【特許請求の範囲】
【請求項１】
機体の内部に設置されていて自身が発熱することから冷却を必要とされる要冷却部材と、自身は発熱しないが熱による影響を受けやすいため温度上昇を抑制される温度上昇抑制部材との間に配置されて、前記要冷却部材側からの熱を受熱すると共に、前記温度上昇抑制部材に対する前記要冷却部材からの熱を遮断する受熱断熱手段と、この受熱断熱手段の熱を放熱する放熱手段とを具備した断熱冷却装置であって、
前記受熱断熱手段と前記放熱手段とを別個独立して設け、これら受熱断熱手段と放熱手段との間に熱伝達手段を介在させて前記受熱断熱手段と前記放熱手段とを熱的に連結させたことを特徴とする断熱冷却装置。
【請求項２】
請求項１記載の断熱冷却装置において、
前記熱伝達手段をヒートパイプ、前記放熱手段をヒートシンクでそれぞれ構成し、前記ヒートシンクの放熱部を当該機体の外部に露出させたことを特徴とする断熱冷却装置。
【請求項３】
請求項１又は２記載の断熱冷却装置において、前記要冷却部材がモーターであることを特徴とする断熱冷却装置。
【請求項４】
請求項１乃至３の何れかに記載の断熱冷却装置において、
前記温度上昇抑制部材が基板であることを特徴とする断熱冷却装置。
【請求項５】
請求項１乃至４の何れかに記載の断熱冷却装置において、
前記受熱断熱手段が、前記要冷却部材と前記温度上昇抑制部材との間に配置され、前記要冷却部材の少なくとも前記温度上昇抑制部材との対向面側を覆い、前記要冷却部材の動体部と非接触であることを特徴とする断熱冷却装置。
【請求項６】
請求項５記載の断熱冷却装置において、
前記受熱断熱手段が前記要冷却部材の外形輪郭に沿う形状であることを特徴とする断熱冷却装置。
【請求項７】
請求項６記載の断熱冷却装置において、
前記要冷却部材が円柱形をしたモーターであり、前記受熱断熱手段が前記円柱形をしたモーターの外形輪郭に沿う半円筒形であることを特徴とする断熱冷却装置。
【請求項８】
請求項６記載の断熱冷却装置において、
前記要冷却部材が円柱形をしたモーターであり、前記受熱断熱手段が前記円柱形をしたモーターを取り囲む筒形であることを特徴とする断熱冷却装置。
【請求項９】
請求項１乃至８の何れかに記載の断熱冷却装置において、
前記熱伝達手段及び前記受熱断熱手段の何れか又は両者に断熱材を設けたことを特徴とする断熱冷却装置。
【請求項１０】
請求項９記載の断熱冷却装置において、
前記受熱断熱手段に断熱材を設ける場合、その断熱材は前記温度上昇抑制部材側に設けられることを特徴とする断熱冷却装置。
【請求項１１】
請求項１乃至１０の何れかに記載の断熱冷却装置において、
前記受熱断熱手段が前記機体内部の取付板に断熱部材を介して取り付けられ、前記放熱手段が前記機体の外装パネルに取り付けられていることを特徴とする断熱冷却装置。
【請求項１２】
機体の内部に設置されていて自身が発熱することから冷却を必要とされる要冷却部材たるモーターと、自身は発熱しないが熱による影響を受けやすいため温度上昇を抑制される温度上昇抑制部材である基板を備え、前記モーターで感光体を回転させて光書き込み手段により画像を書き込み、可視像化してさらにこの可視像をシート状媒体に転写して最終画像を得る画像形成装置において、
請求項１乃至１１の何れかに記載の断熱冷却装置を備えたことを特徴とする画像形成装置。
【請求項１３】
請求項１２記載の画像形成装置がタンデムタイプの画像形成装置であり、前記感光体を駆動するモーターが複数設けられていることを特徴とする画像形成装置。
【発明の詳細な説明】
【技術分野】
【０００１】
本発明は、発熱源である要冷却部を冷却するとともに発熱源の周辺に位置する温度上昇抑制部材を発熱源の熱から遮断して保護する断熱冷却装置及び該断熱冷却装置を備えたプリンタ、コピー機、ファクシミリその他の画像形成装置に関する。
【背景技術】
【０００２】
技術の革新や市場からの要求により、近年では複写機等の画像形成装置においても画像形成の高速処理が要求されている。また、画像のカラー化というニーズが高まってきている。画像形成の手法として静電記録の原理を用いたタイプでは、感光体を回転させて光照射により画像を書き込んで静電潜像をつくり、この静電潜像をトナーで可視化し、この可視化された画像をシートに転写してシート上に最終画像を得る。かかる方式の画像形成装置では感光体を駆動するのにモーターが使用される。
【０００３】
画像形成装置においては画像形成の高速処理化に伴い、感光体駆動用モーターが高速回転することからモーターへの負荷により発熱が起こり、その熱の排気を行う必要性が増してきている。
【０００４】
また、カラー画像化の要求に応えるべく、感光体上にそれぞれシアン、マゼンタ、イエロー、ブラックなどの単色トナー画像を形成し、これらの単色トナー画像を順次同一の画像媒体に転写して画像媒体上に合成カラー画像を記録するタンデム型のものが主流となってきている。
【０００５】
タンデム型のカラー画像形成装置では上記４色の各色毎にそれぞれ感光体が設けられ、これら４つの各感光体を駆動するのにそれぞれ用いられるモーターも４台となるので、筐体状の装置本体（機体）内でのモーターの発熱量も大きくなる。
【０００６】
これら単色の画像形成装置、カラー画像形成装置の何れにおいても、感光体を駆動するモーターから排出された熱がモーター上方に配置されるＩＣチップ、各種電子回路などを備えた基板や、モーターの背後に配置される電装ボックス内の基板に影響を与えることが想定される。また、モーター自身についても使用環境温度の規格値があり、自己発熱分（モーター自体の発熱分）を効率よく機外へ排熱する必要が生じている。
【０００７】
従来の画像形成装置における熱対策としては、（ａ）定着器から排出される熱の影響によりクリーナ部等のトナーが凝固してしまうなどの問題に鑑み、熱を排出する熱源部と熱による影響を受ける被対象部との間を通して設けられるとともに、その排気口が吸気口よりも高位に配置されたダクトと、前記熱源部の近傍に設けられ、その一方が前記ダクト内に面し、その他方が前記熱源部に面して配置された高熱伝導性の熱回収手段とを備えた排熱装置（例えば、特許文献１参照）、（ｂ）熱定着装置から発生する熱が近接する作像装置に悪影響を及ぼす不具合を効率的に解消する手段として、熱定着装置と作像装置との間の狭い間隙内に、遮熱板とヒートパイプを配置し、ヒートパイプの端部に直接放熱フィンを設けた画像形成装置（例えば、特許文献２参照）、（ｃ）搬送系および画像形成部駆動のためのメインモーターなどインダクタンスが誘起される部品をケースに収容してなる画像形成装置において、前記インダクタンスが誘起される部品を前記ケースから隔離配置すると共に、該部品の前記ケース側に透磁率の高い材料による磁束誘導板を設け、当該磁束誘導板により前記ケースを介して外部に磁束が漏洩するのを抑制するとともに前記部品からも放熱させるようにした画像形成装置（例えば、特許文献３参照）などがある。
【０００８】
しかし、上記（ａ）についてはダクトの設置を前提とし、実施の形態例ではヒートシンクやヒートパイプを併用する例が紹介されているが、限られたスペースの画像形成装置においては設置容量が大きいダクトの採用は事実上が困難である。上記（ｂ）については、対象熱源が定着装置という本質的に高温の熱源であることから放熱フィンを強制冷却する手段としてモーター駆動のファンを必須とし装置が大掛かりになるとともに、ファン設置に伴い、ファン駆動モーターの発熱も懸念される。上記（ｃ）については、モーターの周りに配置される磁束誘導板を放熱手段として兼用させたのであるが、この磁束誘導板が吸収した熱処理、例えば、機外への放熱するなどのことには言及がされておらず、モーターの発熱が大きい場合には磁束誘導板を冷却するための更なる手段が必要ではないかと想定される。
【０００９】
【特許文献１】特開２０００−２１６５８０号公報
【特許文献２】特開２００３−９１１８９号公報
【特許文献３】特開平６−６９６７９号公報
【発明の開示】
【発明が解決しようとする課題】
【００１０】
本発明は、前記従来技術に鑑み、熱源から周辺部品へ伝わる熱を断熱（遮断）し、かつ熱源から放出された熱を機外へ効率よく排熱させる構成簡易な断熱冷却装置及び画像形成装置を提供することを課題とする。
【課題を解決するための手段】
【００１１】
本発明は、前記課題を達成するため以下の構成とした。  
本発明に係る断熱冷却装置は、機体の内部に設置されていて自身が発熱することから冷却を必要とされる要冷却部材（例えばモーター）と、自身は発熱しないが熱による影響を受けやすいため温度上昇を抑制されるべき温度上昇抑制部材（例えば基板）との間に配置されて、前記要冷却部材側からの熱を受熱すると共に、前記温度上昇抑制部材に対する前記要冷却部材からの熱を遮断する受熱断熱手段と、この受熱断熱手段の熱を放熱する放熱手段とを具備した構成とし、前記受熱断熱手段と前記放熱手段とを別個独立に設けてこれら受熱断熱手段と放熱手段の間に熱伝達手段を介在させて前記受熱断熱手段と前記放熱手段とを熱的に連結させた。  
かかる構成により、前記放熱手段が前記受熱断熱手段に従属したり依存する関係がなく、自由に設置場所を設定できることとなり、例えば、受熱断熱手段から離れた任意の位置に放熱手段を設置することが可能となる。ここで、前記熱伝達手段をヒートパイプ、前記放熱手段をヒートシンクでそれぞれ構成し、前記ヒートシンクの放熱部を当該機体の外部に露出させた構成とすることができる（請求項１〜４）。  
前記受熱断熱手段は、前記要冷却部材と前記温度上昇抑制部材との間に配置すると共に、前記要冷却部材の少なくとも前記温度上昇抑制部材との対向面側を覆い、前記要冷却部材の動体部と非接触とし（請求項５）、前記受熱断熱手段を、前記要冷却部材の外形輪郭に沿う形状にすることができる（請求項６）。  
前記要冷却部材として円柱形をしたモーターを用いたとき、前記受熱断熱手段は前記円柱形をしたモーターの外形輪郭に沿う半円筒形のものを用いることができる（請求項７）。前記要冷却部材が円柱形をしたモーターであるとき、前記受熱断熱手段は円柱形をしたモーターを取り囲む筒形のものを用いることができる（請求項８）。  
前記熱伝達手段及び前記受熱断熱手段の何れか又は両者に対して断熱材を設けることができる（請求項９）。ここで、受熱断熱手段に断熱材を設ける場合、その断熱材は前記受熱断熱手段の前記温度上昇抑制部材側に設ける（請求項１０）。前記受熱断熱手段は前記機体内部の取付板に断熱部材を介して取り付けられ、前記放熱手段は前記機体の外装パネルに取り付けるとよい（請求項１１）。  
機体の内部に設置されていて自身が発熱することから冷却を必要とされる要冷却部材たるモーターと、自身は発熱しないが熱による影響を受けやすいため温度上昇を抑制されるべき温度上昇抑制部材である基板を備え、前記モーターで感光体を回転させて光書き込み手段により画像を書き込み、可視像化してさらにこの可視像をシート状媒体に転写して最終画像を得る画像形成装置において、前記断熱冷却装置を備える（請求項１２）。ここで、画像形成装置はタンデムタイプの画像形成装置であり、前記感光体を駆動するモーターが複数設けられている構成であってもよい（請求項１３）。
【発明の効果】
【００１２】
この発明では、受熱断熱手段から離れた任意の位置に放熱手段を設置することが可能となり、要冷却部材の温度上昇を抑えると共に、要冷却材の熱からの熱を遮断して温度上昇抑制部材を熱から護る。画像形成装置にあっては感光体駆動モーターの温度上昇が抑制されてトルクが安定し不良画像の発生が防止される。
【発明を実施するための最良の形態】
【００１３】
以下に、この発明の実施の形態を説明する。  
［１］断熱冷却装置の例
例１．本発明に係る断熱冷却装置の例を図１〜図３により説明する。断熱冷却装置１００は筐体状の機体を構成する外装パネル１０１Ｘ、外装パネル１０１Ｙなどで囲まれた内部に設置されている。モーター１０２は機体の内部に設置された取付板１０５に取付けられている。モーター１０２はその駆動により自身が発熱する。
【００１４】
発熱するとトルクが変動するので、該モーターに連結されて駆動される回転体の回転状態が変動することから、例えば感光体を駆動する場合には書き込み画像に乱れを生じさせるなど、好ましくない影響がでる。そこで、温度上昇しないように冷却を必要とされる。よって、モーター１０２は冷却を必要とする要冷却部材の一例である。
【００１５】
モーター１０２は円柱形をしていて、図１の紙面の奥行き方向（図３のｘ方向）に長さを有し、回転軸１０３を有する。図２では回転軸１０３は図示されないが取付板１０５を挿通してモーター側の反対側に突き出ている。
【００１６】
モーター１０２の上方に近接して、自身は発熱しないが熱による影響を受けやすいため温度上昇を抑制されるべき温度上昇抑制部材の一例として基板１０４が取付板１０５に配置されている。基板１０４は熱に弱いＩＣチップや電子回路などで構成されている。基板１０４は、当該機体内部に構成される画像形成装置の制御などに使用され、レイアウト上の都合でモーター１０２に近接配置せざるを得ない。
【００１７】
本例では、図１、図２に示すようにモーター１０２と基板１０４との間に受熱断熱手段として熱良導体、例えば銅板などからなる平板１０６を配置した。平板１０６は、モーター１０２と基板１０４との間に位置して基板１０４からみてモーター１０２を覆い隠している。平板１０６はモーター１０２の本体と接触する配置でもよい。ただし、モーター１０２の回転軸などの動体部とは非接触とする。また、モーター１０２から受けた熱が伝導されるのを避けるため基板１０４とは非接触とする。
【００１８】
外装パネル１０１Ｘに、放熱手段としてヒートシンク１０７を設けた。ヒートシンク１０７は直方体状の外観を呈する筐体からなる。ヒートシンク１０７は、外装パネル１０１Ｘに形成したヒートシンク１０７の大きさに見合う大きさの開口から放熱部１０７ａが機外に露出するようにしてＬ字状をした取付け金具１０７ｂを用いて外装パネル１０１Ｘに取付けられている。
【００１９】
モーター１０２は駆動されることにより発熱する。仮に平板１０６が無ければ、その熱は放射、対流などにより基板１０４に伝熱され基板１０４が加熱されることになるが、モーター１０２との間に位置する平板１０６がモーター１０２の熱を吸熱する。これにより、基板１０４はモーター１０２の熱から遮断される。しかし、平板１０６も熱容量に限度があるので、放熱させねばならない。
【００２０】
そこで、本例では、ヒートシンク１０７と平板１０６とを熱伝達手段としてのヒートパイプ１０８で接続した。平板１０６の熱はヒートパイプ１０８を介してヒートシンク１０７で熱交換される。
【００２１】
ここで、ヒートパイプ１０８による熱交換の仕組みを簡単に説明する。ヒートパイプ１０８はよく知られるように、例えば、密閉されたパイプからなる。このパイプの内部は真空に近く、作動流体が封入されている。ヒートパイプ１０８の一端部は冷却されるヒートシンク１０７に位置し、その反対側である他端部はヒートシンク１０７よりも高温の平板１０６に接触させて取り付けられている。
【００２２】
かかる構成では、高温の平板１０６側でヒートパイプ内部の作動流体が蒸発する。その際、蒸発潜熱の吸収により平板１０６の熱が奪われる。ヒートパイプ１０８内の蒸気はヒートシンク１０７へ向けて移動する。この蒸気はヒートシンク１０７で冷却により凝縮され、液化して作動流体となる。その際に蒸発潜熱を放出し、作動流体は平板１０６側へ移動する。こうして、平板１０６の熱が奪われ、この奪われた熱がヒートシンク１０７で放熱される。
【００２３】
本例では、受熱断熱手段たる平板１０６と放熱手段たるヒートシンク１０７との間に熱伝達手段たるヒートパイプ１０８を介在させて平板１０６とヒートシンク１０７とを独立させたので、ヒートシンク１０７は排熱に適する任意の適宜の位置に配置することが可能となった。
【００２４】
このように、モーター１０２から放出された熱は平板１０６で受熱、更にヒートパイプ１０８を用いて熱の輸送を行い、ヒートシンク１０７で排熱することで、モーター１０２及び該モーター周辺部を冷却し、更には基板１０４に対してはモーター１０２の熱を断熱する。つまり、平板１０６の熱を効率よく放熱させ、結果としてモーター１０２の温度上昇を抑制し、かつ、基板１０４の加熱も防止される。
【００２５】
例２．本発明に係る断熱冷却装置の例を図４により説明する。本例は例１の変形例である。基本的な構成は例１と同じであるので異なる点のみ説明する。本例は、要冷却部材たるモーター１０２と温度上昇抑制部材たる基板１０４との間に配置される受熱断熱手段の形状をモーター１０２の外形輪郭に沿う形状とした。
【００２６】
具体的には、モーター１０２が円柱形をしているので、受熱断熱手段の形状を例１における平板に代えて円柱形をしたモーターの外形輪郭に沿う半円筒形（ドーム形）の曲板１０９にした。また、図５に示すように、ヒートパイプ１０８は曲板１０９上で該曲板の軸線方向に沿う配置とし、曲板１０９に対する接触面積を多くとるようにした。
【００２７】
例３．本発明に係る断熱冷却装置の例を図６〜８により説明する。本例は例２の変形例である。基本的な構成は例２と同じであるので異なる点のみ説明する。本例は、熱伝達手段たるヒートパイプ１０８及び受熱断熱手段たる曲板１０９の何れか又は両者に断熱材を設けたものである。
【００２８】
図６に示した例ではヒートパイプ１０８を断熱材１１０ａで覆い、図７に示した例では曲板１０９に断熱材１１０ｂを設け、図８に示した例ではヒートパイプ１０８を断熱材１１０ａで覆うと共に曲板１０９に断熱材１１０ｂを設けている。なお、受熱断熱手段は曲板１０９に限らず、平板１０６その他でもよい。
【００２９】
図６に示すようにヒートパイプ１０８を断熱材１１０ａで覆う構成ではヒートパイプ１０８からの熱交換を少なくさせることで、ヒートパイプ１０８の通路付近への熱の影響を少なくし、更にモーター１０２及びモーター１０２周辺部の熱をより効率的に機外に排出させることができる。
【００３０】
図７に示したように、曲板１０９に断熱材１１０ｂを設ける場合、その断熱材１１０ｂは該曲板１０３の温度上昇抑制部材側、つまり基板１０４側に設ける。曲板１０９のモーター１０２からの熱の受熱効率を損なわないため及び、基板１０４に対する断熱効果を高めるためである。曲板１０９の基板１０４側に断熱部材１１０ｂを設けることにより、基板１０４側に伝わる熱を遮断し、より効率的にモーター１０２及びモーター周辺部の熱を機外へ排熱できる。
【００３１】
図８に示したように、ヒートパイプ１０８を断熱材１１０ａで覆いかつ曲板１０９に断熱材１１０ｂを設ける構成では、ヒートパイプ１０８の通路付近への熱の影響を少なくすると共に断熱部材１１０ｂを設けることにより、基板１０４側に伝わる熱を遮断し、より効率的にモーター１０２及びモーター１０２周辺部の熱を機外へ排熱できる。
【００３２】
例４．本発明に係る断熱冷却装置の例を図９〜１２により説明する。本例は例２の変形例である。受熱断熱手段の形状及び固定方法等を除き、基本的な構成は例２と同じである。
【００３３】
本例では、要冷却部材が円柱形をしたモーター１０２であるとき、受熱断熱手段をモーター１０２を取り囲む筒形をした筒状ケース１１１で構成した。この筒状ケース１１１は底付きの円筒である。図１０に示す断熱部材からなるリング状をした取付け座１１２には外周上で対向する２つの固定部１１２ａが設けてある。さらに、固定部１１２ａには取付け穴１１２ａ１が形成されていて、この取付け穴１１２ａ１を利用して取付け座１１２が取付板１０５にねじ１１３で固定される。
【００３４】
なお、図が煩雑になるので図９、図１１には示していないが、取付板１０５上であって取付け座１１２のリング状に抜けた部位を挿通して取付け板１０５には図１２に示すように、予めモーター１０２が固定されている。
【００３５】
こうして、取付板１０５にモーター１０２及び取り付け座１１２が取り付けられた状態のもとで、取り付け座１１２のリング状をした座面に筒状ケース１１１が、モーター１０２を覆うようにして接着固定される。筒状ケース１１１の上部には近接して基板１０４が位置している。外装パネル１０１Ｘにはヒートシンク１０７が取り付けられていて、該ヒートシンク１０７と筒状ケース１１１とはヒートパイプ１０８で接続されている。
【００３６】
本例では、受熱断熱手段たる筒状ケース１１１をモーター１０２を取り囲む形状にすることで、モーター１０２からの熱を筒状ケースでより多く受熱することができ、より効率的にモーター１０２及びモーター周辺部の熱を機外へ排熱させることができる。更には図１２に示すように、モーター１０２の背後にある要冷却部材としての電装ボックス１１５に対しての断熱効果がある。
【００３７】
モーター１０２が感光体駆動モーターである場合、図１２に示すように、取付板１０５を挿通したモーター軸にはカップリング１１６を介して感光体ドラム１１７が接続され感光体を駆動させる。本例においても、筒状ケース１１１やヒートパイプ１０８の何れか又は全部に断熱材を設けることができることはもちろんである。
【００３８】
［２］画像形成装置の例
例５．  単色複写機の例を説明する。図１３において、複写機装置本体１０は、その上に画像読取装置２０を取り付け、シートバンク３０上に載置してなる。また、画像読取装置２０の上には、背面側を支点に上下に開閉自在に自動原稿搬送装置４０を取り付けてなる。
【００３９】
複写機装置本体１０には、内部に、像担持体としてドラム状の感光体１８を有する。図１３に示した複写機本体を裏側から見たときの図１４を併せて参照するに、感光体１８は複写機装置本体１０の機体内部に設置されていて自身が発熱することから冷却を必要とされる要冷却部材たる円柱形のモーター１２０（図１４参照）により駆動される。
【００４０】
また、このモーター１２０に近接して、自身は発熱しないが熱による影響を受けやすいため温度上昇を抑制されるべき温度上昇抑制部材である基板１２１が備えられている。前記した各例に準じて、モーター１２０と基板１２１との間には受熱断熱手段の一例としての熱良導体からなる平板１２２が設けられ、また、複写機装置本体１０を構成する外装パネルには放熱手段としてのヒートシンク１２３が設けられ、これら平板１２２とヒートシンク１２３間が熱伝達手段としてのヒートパイプ１２４で接続されている。
【００４１】
一方、感光体１８のまわりには、図中左側に配置する帯電装置１９から、感光体１８の回転方向（反時計方向）Ａに順に、下側に現像装置７２、右側に転写装置７３、上側にクリーニング装置７４を配置してなる。
【００４２】
そのうち、現像装置７２では、トナーとして、重合法により製造した重合トナーを用い、その重合トナーを現像ローラを用いて付着して感光体１８上の静電潜像を可視像化する
。また、転写装置７３は、上下のローラ７５、７６の間に転写ベルト７７を掛け回して構成し、その転写ベルト７７を転写位置Ｂで感光体１８の周面に押し当ててなる。
【００４３】
複写機装置本体１０の内部には、シートバンク３０の後述するシートカセット６１から送り出したシート状媒体を転写位置Ｂを経てスタック位置まで下方から上方へと搬送するシート搬送装置Ｃを備える。シート搬送装置Ｃは、供給路Ｒ１、手差し供給路Ｒ２、およびシート搬送路Ｒを有してなる。
【００４４】
シート搬送路Ｒには、感光体１８の上流位置にレジストローラ２１を設ける。また、感光体１８の下流位置には、熱定着装置３を設ける。熱定着装置３は加熱ローラ１と加圧ローラ２を備える。
【００４５】
熱定着装置３のさらに下流には、ローラ５Ａ、５Ｂ、ガイドコロ６、搬送ベルト７、搬送ローラ８等が配置されている。画像形成済みのシートは排出スタック部（排出位置）３９に排出されてスタックされる。
【００４６】
複写機装置本体１０には、図中右側面に、スイッチバック装置４２を設けてなる。そのスイッチバック装置４２は、シート搬送路Ｒの排出分岐爪３４位置から分岐し、一対のスイッチバックローラ４３を備えるスイッチバック位置４４まで導く反転路Ｒ３と、スイッチバック位置４４から、再びシート搬送路Ｒのレジストローラ２１まで導く再搬送路Ｒ４とを有するシート搬送装置Ｄを備える。そのシート搬送装置Ｄには、シートを搬送する複数のシート搬送ローラ６６を備えてなる。
【００４７】
現像装置７２の図中左側には、光書き込み手段としてのレーザ書込装置４７を備える。レーザ書込装置４７には、不図示のレーザ光源、走査用の回転多面鏡４８、ポリゴンモータ４９、ｆθレンズ等の走査光学系５０などを設けてなる。
【００４８】
画像読取装置２０には、光源５３、複数のミラー５４、結像用光学レンズ５５、ＣＣＤ等のイメージセンサ５６などを設ける。そして、上面にはコンタクトガラス５７を備えてなる。
【００４９】
コンタクトガラス５７の上の自動原稿搬送装置４０には、原稿の載置位置に不図示の原稿セット台を設けるとともに、排出位置に不図示の原稿スタック台を設ける。また、原稿シートを、原稿セット台から画像読取装置２０のコンタクトガラス５７上の読取位置を経て原稿スタック台まで搬送する不図示の原稿搬送路を有するシート搬送装置を備える。そのシート搬送装置には、原稿シートを搬送する不図示のシート搬送ローラを複数備えてなる。
【００５０】
シートバンク３０には、内部に、シート状媒体としてのシート状媒体、例えば、転写紙、ＯＨＰフィルム等を収納するシートカセット６１を多段に備える。各シートカセット６１には、それぞれ対応して呼出ローラ６２、供給ローラ６３、分離ローラ６４を設ける。多段に備えるシートカセット６１の図中右側に、複写機装置本体１０のシート搬送路Ｒへと通じる上述した供給路Ｒ１を形成する。供給路Ｒ１にも、シートを搬送するいくつかのシート搬送ローラ６６（シート搬送回転体）を備える。
【００５１】
複写機装置本体１０には、図中右側面に、手差し供給部６８を設ける。その手差し供給部６８に、手差しトレイ６７を開閉自在に設けるとともに、その手差しトレイ６７上にセットした手差しシートを、シート搬送路Ｒへと導く上述した手差し供給路Ｒ２を備える。その手差しトレイ６７にも同様に、呼出ローラ６２、供給ローラ６３、分離ローラ６４を設ける。
【００５２】
さて、この複写機を用いてコピーをとるときは、不図示のメインスイッチをオンするとともに、自動原稿搬送装置４０の原稿セット台に原稿をセットする。ブック原稿のような場合には、自動原稿搬送装置４０を開いて画像読取装置２０のコンタクトガラス５７上に直接原稿をセットし、自動原稿搬送装置４０を閉じてそれで押える。
【００５３】
そして、不図示のスタートスイッチを押すと、自動原稿搬送装置４０に原稿をセットしたときは、原稿をシート搬送ローラにより原稿搬送路を通して、コンタクトガラス５７上へと移動してから画像読取装置２０を駆動し、原稿内容を読み取って原稿スタック台上に排出する。一方、コンタクトガラス５７上に直接原稿をセットしたときは、直ちに画像読取装置２０を駆動する。
【００５４】
画像読取装置２０を駆動すると、画像読取装置２０は、光源５３をコンタクトガラス５７に沿って移動するとともに、光源５３からの光をコンタクトガラス５７上の原稿面で反射し、その反射光を複数のミラー５４で反射し、結像用光学レンズ５５を経て、イメージセンサ５６に入れ、そのイメージセンサ５６で原稿内容を読み取る。
【００５５】
また、このとき同時に、不図示の感光体駆動モータで感光体１８を回転し、まず図示例では帯電ローラを用いた帯電装置１９で表面を一様に帯電し、次いで上述の画像読取装置２００で読み取った原稿内容に応じてレーザ光を照射してレーザ書込装置４７で書込みを行い、感光体１８の表面に静電潜像を形成し、そののち現像装置７２でトナーを付着してその静電潜像を可視像化する。
【００５６】
また、スタートスイッチを押したとき同時に、シートバンク３０中に多段に備える複数のシートカセット６１中の選択サイズに対応するシートカセット６１内から呼出ローラ６２によりシート状媒体を送り出し、続く供給ローラ６３、分離ローラ６４で１枚ずつ分離して搬送しながら供給路Ｒ１に入れ、シート搬送ローラ６６で搬送してシート搬送路Ｒへと導き、レジストローラ２１に突き当てて止める。そして、上述した感光体１８の可視像化したトナー画像の回転にタイミングを合わせてレジストローラ２１を回転し、感光体１８の右側へと送り込む。
【００５７】
または、手差し給紙部６８の手差しトレイ６７を開けて、その手差しトレイ６７上にセットした手差しシートを呼出ローラ６２により送り出し、続く供給ローラ６３、分離ローラ６４で１枚ずつ分離して搬送しながら手差し供給路Ｒ２に入れ、シート搬送ローラ６６で搬送してシート搬送路Ｒへと導き、同じくレジストローラ２１で感光体１８の回転にタイミングを合わせて該感光体１８の右側へと送り込む。
【００５８】
それから、感光体１８の右側へと送り込んだシート状媒体に、図示例では転写装置１３により転写位置Ｂで感光体１８上のトナー画像を転写して画像を形成する。画像転写後の感光体１８上の残留トナーはクリーニング装置７４で除去して清掃し、不図示の除電装置で感光体１８上の残留電位を除去して帯電装置１９からはじまる次の画像形成に備える。
【００５９】
一方、画像転写後のシート状媒体は、転写ベルト７７で搬送し、その通過を不図示のセンサで検知してから熱定着装置３に入れ、加熱された定着ローラ１と加圧ローラ２間に通して搬送しながら、それらにより熱と圧力を加えてシート状媒体上のトナー画像を定着する。その後、既に説明した本発明の冷却装置を経由させて、排出スタック部３９上に排出してそこにスタックする。
【００６０】
なお、シート状媒体の両面に画像を転写する場合、排出分岐爪３４を切り替える。そして、表面にトナー画像を転写したシート状媒体を、シート搬送路Ｒから反転路Ｒ３に入れ、シート搬送ローラ６６で搬送してスイッチバック位置４４へ入れ、スイッチバックローラ４３でスイッチバックすることにより再搬送路Ｒ４に入れて反転し、シート搬送ローラ６６で搬送して再びシート搬送路Ｒに導き、前述と同様にして転写材の裏面にも画像を転写する。
【００６１】
このように、モーターで感光体を回転させて光書き込み手段により画像を書き込み、可視像化してさらにこの可視像をシート状媒体に転写して最終画像を得る画像形成装置において、本発明にかかる断熱冷却装置が適用されている。画像形成装置では、感光体駆動用のモーターが高温になると、駆動トルクが不安定になり画像の劣化につながる。本発明にかかる断熱冷却装置を適用することでこれを回避できる。また、画像形成に関わる種々の制御を行う基板１２１の発熱を防止することができる。
【００６２】
例６．  本例の画像形成装置はタンデムタイプの画像形成装置である。図１５において、書き込み光学ユニット８０からは、イエロー（Ｙ）、マゼンタ（Ｍ）、シアン（Ｃ）、ブラック（Ｋ）の各色画像を形成する像担持体としての感光体８２Ｙ、８２Ｍ、８２Ｃ、８２Ｋに向けて、書き込み用の走査光（レーザービーム）８３Ｙ、８３Ｍ、８３Ｃ、８３Ｋが射出される。以下、符号の末尾に付したＹ、Ｍ、Ｃ、Ｋの各符号は、イエロー、マゼンタ、シアン、ブラックの各画像にかかる部材について、それぞれＹ、Ｍ、Ｃ、Ｋを付して示す。
【００６３】
例えば、ブラック系の書き込み系に着目すると、ＬＤ（レーザーダイオード）駆動部を含むＬＤユニットから射出された走査光８３Ｋは、図示しないカップリング光学系や、該カップリング光学系からの走査光を主走査方向に集光するシリンドリカルレンズを経て走査光８３Ｋを偏向走査する偏向手段としての回転多面鏡８４に至り、該回転多面鏡８４により反射されてｆθレンズ８５、トロイダルレンズ８７Ｋ等の走査レンズ及びミラー８６等を経て被走査面を有する感光体８２Ｋに至る。
【００６４】
書き込み光学ユニット８０内には各色用のＬＤユニットが設けられていて、走査光８３Ｙ、８３Ｍ、８３Ｃはこれら図示されない各ＬＤユニットから射出され、回転多面鏡８４、共通のｆθレンズ８５及び各色用のトロイダルレンズ８７Ｙ、８７Ｍ、８７Ｃを経て最終的に各感光体８２Ｙ、８２Ｍ、８２Ｃ、８２Ｋ上に光スポットとして集光し紙面を貫く方向（主走査方向）に走査される。
【００６５】
各感光体８２Ｙ、８２Ｍ、８２Ｃ、８２Ｋはドラム状をしていて、それぞれの下方には、これら各感光体に対して共通に接触するようにして、転写ベルト９９が配置されている。この共通に接触する部位は１次転写部と称される。転写ベルト９９は、駆動ローラＲ１０と支持ローラＲ２０及び隣接配置の２つの支持ローラＲ３０、Ｒ４０等により支持されている。各感光体８２Ｙ、８２Ｍ、８２Ｃ、８２Ｋは、矢印で示す転写ベルト９９の移動方向（副走査方向）に沿って均等間隔で配列されている。
【００６６】
各感光体８２Ｙ、８２Ｍ、８２Ｃ、８２Ｋのまわりには、矢印で示す回転方向順に帯電器８８Ｙ、８８Ｍ、８８Ｃ、８８Ｋ、現像装置８９Ｙ、８９Ｍ、８９Ｃ、８９Ｋ、クリーニング装置９０Ｙ、９０Ｍ、９０Ｃ、９０Ｋが配置されている。例えば、感光体８２Ｋにおいて、帯電器８８Ｋと現像装置８９Ｋとの間の位置に、書き込み光学ユニット８０からの走査光８３Ｋが前記したように主走査方向に走査されて、ブラック画像の潜像が形成される。他の感光体についても同様に各色用の潜像が形成される。
【００６７】
これらの潜像は、それぞれ対応する現像装置８９Ｙ、８９Ｍ、８９Ｃ、８９Ｋにより可視像化され、各感光体８２Ｙ、８２Ｍ、８２Ｃ、８２Ｋと転写ベルト９９とが接触する１次転写部にて転写媒体である転写ベルト９９上に順次重ね合わせて重ね画像（カラー画像）が形成される。なお、転写後の各感光体８２Ｙ、８２Ｍ、８２Ｃ、８２Ｋはクリーニング装置９０Ｙ、９０Ｍ、９０Ｃ、９０Ｋにより残留トナーが除去されて次の画像形成に備えられる。
【００６８】
転写ベルト９９上の重ね画像は、給紙トレイ９１から給紙コロ９２により送り出されてレジストローラ９３の部位でタイミングを調整されてから送り出されるシート状媒体Ｓに、支持ローラＲ３０、Ｒ４０と転写ローラＲ５０とが対向配置されている２次転写部で転写される。転写後のシート状媒体Ｓは、搬送ベルト９４により定着装置９５に送られ、定着装置９５を出た後、排出ローラ９６により排紙トレイ９７に送り出される。
【００６９】
このように、本例の画像形成装置も、自身が発熱することから冷却を必要とされる要冷却部材たるモーターと、自身は発熱しないが熱による影響を受けやすいため温度上昇を抑制されるべき温度上昇抑制部材である基板を備え、モーターで感光体を回転させて光書き込み手段により画像を書き込み、可視像化してさらにこの可視像をシート状媒体に転写して最終画像を得る構成である。
【００７０】
図１５に示した画像形成装置本体内の要部を示した図１６において、複数の感光体８２Ｙ、８２Ｍ、８２Ｃ、８２Ｋをそれぞれ駆動するために、自身が発熱することから冷却を必要とされる要冷却部材たる円柱形の４つのモーター２００Ｙ、２００Ｍ、２００Ｃ、２００Ｋが設けられている。
【００７１】
また、これらのモーター２００Ｙ、２００Ｍ、２００Ｃ、２００Ｋ中の一部のモーターに近接して、自身は発熱しないが熱による影響を受けやすいため温度上昇を抑制されるべき温度上昇抑制部材たる基板１２１０が備えられている。前記した各例に準じて、モーター２００Ｙ、２００Ｍ、２００Ｃ、２００Ｋなどの全体の上方に近接してかつ、基板１２１０との間には受熱断熱手段の一例としての熱良導体からなる平板１２２０が設けられ、また、当該タンデムタイプのカラー複写機装置本体を構成する外装パネルには放熱手段としてのヒートシンク１２３０が設けられ、これら平板１２２０とヒートシンク１２３０間が熱伝達手段としてのヒートパイプ１２４０で接続されて断熱冷却装置を構成している。
【００７２】
平板１２２０はモーター２００Ｙ、２００Ｍ、２００Ｃ、２００Ｋ全部を覆っているので、これら全部のモーターからの熱を吸熱し、ヒートパイプ１２４０を介してヒートシンク１２３０で放熱する。これにより、モーター２００Ｙ、２００Ｍ、２００Ｃ、２００Ｋ全部の発熱が抑えられ、過熱によるトルク変動を生ずることなく、高画質な重ね合わせ画像を得ることができる。
【００７３】
また、基板１２１０の温度上昇も抑える。平板１２２０を例示したが、これに限らず、必要に応じて、前記例１〜４の例にならい、半円筒形、筒形などの形状を選択することができる。また、前記例１〜４の例にならい、ヒートパイプ１２４０や平板１２２０などに断熱部材を設けることもできる。なお、図１６の例の変形として、個々のモーターに対応して受熱断熱手段たる平板とヒートシンク、ヒートパイプのセットを設ける構成とすることもできる。
【００７４】
図１７はこれらモーターの一部とその周辺の部材の構成の概略を示したものである。モーター２００Ｋ、２００Ｃの回転軸がカップリングを介して感光体８２Ｋ、８２Ｃにそれぞれ連結されている。
【図面の簡単な説明】
【００７５】
【図１】本発明に係る断熱冷却装置の要部を説明した部分断面図である。
【図２】本発明に係る断熱冷却装置の要部を説明した斜視図である。
【図３】本発明に係る断熱冷却装置の全体の概要を説明した斜視図である。
【図４】本発明に係る断熱冷却装置の要部を説明した正面図である。
【図５】本発明に係る断熱冷却装置の要部を説明した斜視図である。
【図６】本発明に係る断熱冷却装置の要部を説明した正面図である。
【図７】本発明に係る断熱冷却装置の要部を説明した正面図である。
【図８】本発明に係る断熱冷却装置の要部を説明した正面図である。
【図９】本発明に係る断熱冷却装置の要部を説明した斜視図である。
【図１０】筒状ケースの取付け座を説明した正面図である。
【図１１】本発明に係る断熱冷却装置の要部を説明した斜視図である。
【図１２】本発明に係る断熱冷却装置の要部を説明した側面図である。
【図１３】本発明に係る断熱冷却装置を適用可能な単色画像形成装置を説明した概略構成図である。
【図１４】図１３に示した図を反対側から見た図である。
【図１５】本発明に係る断熱冷却装置を適用可能なタンデムタイプの画像形成装置を説明した概略構成図である。
【図１６】タンデムタイプのカラー画像形成装置における断熱冷却装置の要部正面図である。
【図１７】タンデムタイプのカラー画像形成装置における主要部材の関係を説明した斜視図である。
【符号の説明】
【００７６】
１０２  （要冷却部材としての）モーター
１０４  （温度上昇抑制部材としての）基板
１０６  （受熱断熱手段としての）平板
１０７  （放熱手段としての）ヒートシンク
１０９  （受熱断熱手段としての）曲板
１１１  筒状ケース（受熱断熱手段）
【図１】
2006085039.tif 000003
【図２】
2006085039.tif 000004
【図３】
2006085039.tif 000005
【図４】
2006085039.tif 000006
【図５】
2006085039.tif 000007
【図６】
2006085039.tif 000008
【図７】
2006085039.tif 000009
【図８】
2006085039.tif 000010
【図９】
2006085039.tif 000011
【図１０】
2006085039.tif 000012
【図１１】
2006085039.tif 000013
【図１２】
2006085039.tif 000014
【図１３】
2006085039.tif 000015
【図１４】
2006085039.tif 000016
【図１５】
2006085039.tif 000017
【図１６】
2006085039.tif 000018
【図１７】
2006085039.tif 000019